(57)【要約】      （修正有）【課題】内部のスペースを有効に利用できる車両用制御盤を提供すること。【解決手段】制御盤１０は筐体内部にスイッチ装置１２、対向機器１４を備えている。筐体は、板面部２１と、その板面部２１に一端が接続されて立設される壁面部２２と、その壁面部２２の他端により形成される開口部を塞ぐ扉２４とを備えている。扉２４にスイッチ装置１２の本体部１２ａが配設され、本体部１２ａの板面部２１側に操作子１２ｂが設けられる。壁面部２２に外側に向かって開口する孔部２５が設けられ、その孔部２５から挿入した指が操作子１２ｂに届く位置にスイッチ装置１２が配置される。扉２４に配設されるスイッチ装置１２の操作子１２ｂを壁面部２２の孔部２５から操作できるので、スイッチ装置１２に対向して板面部２１に対向機器１４を配設できる。そのため、筐体内部のスペースを有効に利用できる。【選択図】図３
2016147560.tif 000002
【特許請求の範囲】
【請求項１】
板面部と、その板面部に一端が接続されて立設される壁面部と、その壁面部の他端により形成されて外側に向かって開口する開口部を塞ぐ扉とを有し、車両の運転室内に配設される筐体と、
その筐体の前記板面部または前記扉の一方に配設される本体部と、その本体部における前記板面部または前記扉の他方側に設けられる操作子とを有するスイッチ装置と、
そのスイッチ装置からみて前記板面部または前記扉の他方側に配設される対向機器とを備え、
前記壁面部に外側に向かって開口する孔部が設けられ、
前記スイッチ装置は、前記孔部から挿入した指が前記操作子に届く位置に配置されていることを特徴とする車両用制御盤。
【請求項２】
前記操作子から前記孔部に向かって開口するように前記操作子を囲むカバーを備えていることを特徴とする請求項１記載の車両用制御盤。
【請求項３】
前記スイッチ装置は、前記本体部が前記扉に配設され、
前記壁面部は、少なくとも２面が対向し、対向する２面の一方に前記扉が開閉可能に支持され、対向する２面の他方に前記孔部が設けられることを特徴とする請求項１又は２に記載の車両用制御盤。
【請求項４】
前記操作子は、操作方向と交差する方向に長手方向を有する形状に形成され、前記孔部の開口する方向に対して交差して長手方向および操作方向が設けられることを特徴とする請求項１から３のいずれかに記載の車両用制御盤。
【請求項５】
前記運転室は、運転手が座る第１シートと、
その第１シートの車両左右方向に並設される第２シートとを備え、
前記筐体は、前記第１シートの背もたれと前記第２シートの背もたれとの間に、前記孔部を前記第１シートに向けて配置されることを特徴とする請求項１から４のいずれかに記載の車両用制御盤。
【請求項６】
前記筐体は、正面視において前記第１シートと前記第２シートとの間の中心よりも前記第２シート側に配置されることを特徴とする請求項５記載の車両用制御盤。
【発明の詳細な説明】
【技術分野】
【０００１】
本発明は車両用制御盤に関し、特に内部のスペースを有効に利用できる車両用制御盤に関するものである。
【背景技術】
【０００２】
車両に付与される様々な機能を制御するための制御盤が搭載された車両がある。操作者がスイッチなどを操作し易いように制御盤は運転室内に配置されることが望ましい。スイッチを制御盤の外側に設けると体の一部などが接触して誤動作するおそれがあるため、制御盤内部にスイッチを設ける必要がある。しかし、スイッチを操作するために制御盤の扉を開ける場合、扉を開ける手間が掛かるだけでなく、制御盤の内部にごみや埃などが侵入するおそれや、運転室内の車載物に扉がぶつかるおそれがある。従来より、制御盤の扉に操作口を設け、その操作口から機器内部のスイッチを操作する技術がある（特許文献１）。
【先行技術文献】
【特許文献】
【０００３】
【特許文献１】特開平８−１４９６２３号公報
【発明の概要】
【発明が解決しようとする課題】
【０００４】
しかしながら、特許文献１に開示された技術では、制御盤の扉に操作口が設けられ、その操作口と対面する部分にスイッチが配設されるので、スイッチと扉との間にスイッチを操作するための空間を確保する必要がある。その空間には機器を配置できないので、制御盤内部のスペースを有効に利用できないという問題点がある。
【０００５】
本発明は上述した問題を解決するためになされたものであり、内部のスペースを有効に利用できる車両用制御盤を提供することを目的とする。
【課題を解決するための手段】
【０００６】
この目的を達成するために請求項１記載の車両用制御盤は、板面部と、その板面部に一端が接続されて立設される壁面部と、その壁面部の他端により形成されて外側に向かって開口する開口部を塞ぐ扉とを有し、車両の運転室内に配設される筐体と、その筐体の前記板面部または前記扉の一方に配設される本体部と、その本体部における前記板面部または前記扉の他方側に設けられる操作子とを有するスイッチ装置と、そのスイッチ装置からみて前記板面部または前記扉の他方側に配設される対向機器とを備え、前記壁面部に外側に向かって開口する孔部が設けられ、前記スイッチ装置は、前記孔部から挿入した指が前記操作子に届く位置に配置されている。
【０００７】
請求項２記載の車両用制御盤は、請求項１記載のものにおいて、前記操作子から前記孔部に向かって開口するように前記操作子を囲むカバーを備えている。
【０００８】
請求項３記載の車両用制御盤は、請求項１又は２に記載のものにおいて、前記スイッチ装置は、前記本体部が前記扉に配設され、前記壁面部は、少なくとも２面が対向し、対向する２面の一方に前記扉が開閉可能に支持され、対向する２面の他方に前記孔部が設けられる。
【０００９】
請求項４記載の車両用制御盤は、請求項１から３のいずれかに記載のものにおいて、前記操作子は、操作方向と交差する方向に長手方向を有する形状に形成され、前記孔部の開口する方向に対して交差して長手方向および操作方向が設けられる。
【００１０】
請求項５記載の車両用制御盤は、請求項１から４のいずれかに記載のものにおいて、前記運転室は、運転手が座る第１シートと、その第１シートの車両左右方向に並設される第２シートとを備え、前記筐体は、前記第１シートの背もたれと前記第２シートの背もたれとの間に、前記孔部を前記第１シートに向けて配置される。
【００１１】
請求項６記載の車両用制御盤は、請求項５記載のものにおいて、前記筐体は、正面視において前記第１シートと前記第２シートとの間の中心よりも前記第２シート側に配置される。
【発明の効果】
【００１２】
請求項１記載の車両用制御盤によれば、板面部と、その板面部に一端が接続されて立設される壁面部と、その壁面部の他端により形成されて外側に向かって開口する開口部を塞ぐ扉とを有する筐体が車両の運転室内に配設される。筐体の板面部または扉の一方にスイッチ装置の本体部が配設され、スイッチ装置の本体部における板面部または扉の他方側に操作子が設けられる。スイッチ装置からみて板面部または扉の他方側に対向機器が配設され、壁面部に外側に向かって開口する孔部が設けられる。その孔部から挿入した指が操作子に届く位置にスイッチ装置が配置されるので、孔部に指を挿入して筐体内部に位置する操作子を操作できる。扉を開けることなく筐体内部の操作子を操作できるので、扉を開ける手間を省くことができると共に、筐体内部にごみや埃などが侵入することを防止できる効果がある。
【００１３】
また、板面部または扉の一方に配設されるスイッチ装置の操作子を壁面部の孔部から操作できるので、スイッチ装置からみて板面部または扉の他方側に対向機器を配設できる。そのため、筐体内部のスペースを有効に利用できる効果がある。
【００１４】
請求項２記載の車両用制御盤によれば、操作子から孔部に向かって開口するように操作子を囲むカバーを備えているので、孔部に指を挿入する際にスイッチ装置以外の機器に触れることを防止できる。従って、請求項１の効果に加え、安全に操作子を操作できる効果がある。
【００１５】
請求項３記載の車両用制御盤によれば、スイッチ装置の本体部が扉に配設され、壁面部の少なくとも２面が対向し、壁面部の対向する２面の一方に扉が開閉可能に支持され、壁面部の対向する２面の他方に孔部が設けられる。これにより、扉が開閉可能に支持される位置から最も遠い扉の部分に操作子を配置できるので、扉を開けて操作子を操作する場合でも、扉を大きく開けることなく操作子を操作できる。即ち、請求項１又は２の効果に加え、扉を開けて操作子を操作する場合でも、筐体内部へのごみや埃などの侵入を抑制できると共に、開けた扉が運転室内の車載物にぶつかることを抑制できる効果がある。
【００１６】
請求項４記載の車両用制御盤によれば、操作子は、操作方向と交差する方向に長手方向を有する形状に形成され、孔部の開口する方向に対して交差して長手方向および操作方向が設けられる。これにより、孔部から挿入する指が向く方向と、操作子の長手方向と、操作子の操作方向とが互いに交差する。その結果、請求項１から３のいずれかの効果に加え、孔部から挿入する指が向く方向と、操作子の長手方向と、操作子の操作方向とのうち少なくとも２つが略平行である場合に比べて、操作子の操作性を向上できる効果がある。
【００１７】
請求項５記載の車両用制御盤によれば、運転室は、運転手が座る第１シートと、その第１シートの車両左右方向に並設される第２シートとを備え、第１シートの背もたれと第２シートの背もたれとの間に、孔部を第１シートに向けて筐体が配置される。運転手側に孔部があるので、請求項１から４のいずれかの効果に加え、運転手による操作子の操作性を向上できる効果がある。
【００１８】
請求項６記載の車両用制御盤によれば、正面視において第１シートと第２シートとの間の中心よりも第２シート側に筐体が配置されるので、第１シートと筐体との間の距離を確保できる。これにより、運転手が孔部に指を挿入する際に、運転手の腕や手が第１シートに干渉し難くできるので、請求項５の効果に加え、運転手による操作子の操作性をより向上できる効果がある。
【図面の簡単な説明】
【００１９】
【図１】（ａ）は本発明の実施の形態における車両の運転室の平面図であり、（ｂ）は運転室の正面図である。
【図２】（ａ）は制御盤の左側面図であり、（ｂ）は制御盤の正面図であり、（ｃ）は制御盤の右側面図である。
【図３】（ａ）は図２（ｂ）のＩＩＩａ−ＩＩＩａ線における制御盤の断面図であり、（ｂ）は図２（ａ）のＩＩＩｂ−ＩＩＩｂ線における制御盤の断面図である。
【発明を実施するための形態】
【００２０】
以下、本発明の好ましい実施の形態について、添付図面を参照して説明する。まず、図１を参照して、車両の運転室１について説明する。図１（ａ）は本発明の一実施の形態における車両の運転室１の平面図であり、図１（ｂ）は運転室１の正面図である。なお、本実施例では、車両進行方向である図１（ａ）下側を車両の前側とし、図１（ａ）上側を車両の後側とし、図１（ａ）左側および右側をそれぞれ車両の右側および左側とする。
【００２１】
車両は、一般家庭や工場へ液化ガスを配送して一般家庭や工場の貯蔵設備に液化ガスを充填するバルクローリである。その車両に搭載された機械や電気機器（例えば、液化ガス充填装置や、表示機器など）から得られる情報（例えば、液化ガスの残量や充填量、配送状況、車両の走行状態など）を用いて、制御盤１０により車両に搭載された機械や電気機器などが制御される。車両は、キーオフ時にもバッテリから制御盤１０に電力を供給するので、車両を使用しないときには制御盤１０の主電源をオフにして、車両のバッテリの消費を抑える必要がある。
【００２２】
図１（ａ）及び図１（ｂ）に示すように、車両の運転室１は、車両を走行させる際に操作されるハンドル２と、車両左右方向に並設されて搭乗者が着座する第１シート４及び第２シート６と、制御盤１０とを備えている。第１シート４は、車両の右側に位置し、前方にハンドル２が位置し、運転手が着座する。
【００２３】
制御盤１０は、扉２４を有する直方体状の筐体２０内部に様々な装置や機器（後述するスイッチ装置１２や対向機器１４など）が設けられる。制御盤１０（筐体２０）は、第１シート４の背もたれ４ａと第２シート６の背もたれ６ａとの間に並設され、正面視において第１シート４と第２シート６との間の中心から第２シート６側に配置される。また、第１シート４及び第２シート６に着座する搭乗者の体が制御盤１０にぶつかり難いように、平面視において第１シート４の背もたれ４ａ及び第２シート６の背もたれ６ａの前面（背中があたる側の面）よりも後側に制御盤１０の前面（扉２４側の面）が位置するように制御盤１０を配置する。
【００２４】
次に図２（ａ）、図２（ｂ）及び図２（ｃ）を参照して、制御盤１０の筐体２０について説明する。図２（ａ）は制御盤１０の左側面図であり、図２（ｂ）は制御盤１０の正面図であり、図２（ｃ）は制御盤１０の右側面図である。なお、図２（ａ）及び図２（ｂ）は制御盤１０（筐体２０）内部に配設されるスイッチ装置１２を破線で示している。
【００２５】
図２（ａ）、図２（ｂ）及び図２（ｃ）に示すように筐体２０は、板状の板面部２１と、その板面部２１に一端が接続されて立設される板状の壁面部２２と、その壁面部２２の他端により形成されて外側に向かって開口する開口部２３を塞ぐ扉２４とを備えている。なお、本実施の形態では、筐体２０の扉２４が車両前方を向いている（図１（ａ）参照）。
【００２６】
壁面部２２は、車両右側（第１シート４側）に位置する右壁面部２２ａと、右壁面部２２ａに対向して車両左側（第２シート６側）に位置する左壁面部２２ｂと、車両上側に位置する上壁面部２２ｃと、上壁面部２２ｃに対向して車両下側に位置する下壁面部２２ｄとを備えている。右壁面部２２ａは、指が挿入可能な（指よりも一回り大きい）サイズの円状の孔部２５が筐体２０の外側に向かって開口し、その孔部２５を塞ぐゴム製の蓋２５ａが着脱可能に取り付けられる。左壁面部２２ｂは、上下２つの蝶番２６により扉２４が開閉可能に支持される。
【００２７】
扉２４は、ボルト（図示しない）により壁面部２２に固定されて、そのボルトを外すことにより固定が解除されて開けられ、孔部２５に近接してスイッチ装置１２が内側に配置される。孔部２５は、左側面視において（右壁面部２２ａから左壁面部２２ｂの方向にみて）スイッチ装置１２の操作子１２ｂの位置を、右壁面部２２ａの板厚方向である車両左右方向（右壁面部２２ａと左壁面部２２ｂとの対向方向）に右壁面部２２ａを貫通して形成される。
【００２８】
次に図３（ａ）及び図３（ｂ）を参照して、制御盤１０（筐体２０）内部の構造について説明する。図３（ａ）は図２（ｂ）のＩＩＩａ−ＩＩＩａ線における制御盤１０の断面図であり、図３（ｂ）は図２（ａ）のＩＩＩｂ−ＩＩＩｂ線における制御盤１０の断面図である。
【００２９】
図３（ａ）及び図３（ｂ）に示すように、制御盤１０は、扉２４の内側に配設されるスイッチ装置１２と、スイッチ装置１２に対向して板面部２１の内側に配設される対向機器１４と、スイッチ装置１２を挟んで孔部２５の反対側にスイッチ装置１２に隣接して扉２４の内側に配設される隣接機器１６と、スイッチ装置１２と隣接機器１６とを隔てるようにスイッチ装置１２を囲んで扉２４に配設されるカバー１８とを備えている。カバー１８は、角筒の孔部２５側の面が開口したコの字状に形成され、操作子１２ｂの扉２４からの高さよりも扉２４からの高さが高く形成される。また、扉２４を開く際に右壁面部２２ａにカバー１８が干渉しない位置まで右壁面部２２ａにカバー１８が近接して配置される。
【００３０】
スイッチ装置１２は、トグルスイッチから構成され、制御盤１０の主電源のオン・オフを切り替えるスイッチである。スイッチ装置１２は、扉２４に配設される部分である本体部１２ａと、本体部１２ａの板面部２１側に設けられる棒状の操作子１２ｂとを備え、孔部２５から挿入した指が操作子１２ｂに届く位置に配置される。車両前後方向（板面部２１と扉２４との対向方向）に長手方向を有する操作子１２ｂを、本体部１２ａと操作子１２ｂとの接続部を支点にして車両上下方向（上壁面部２２ｃと下壁面部２２ｄとの対向方向）に傾けることによってスイッチ装置１２が操作される。即ち、操作子１２ｂの操作方向と操作子１２ｂの長手方向とが交差する。
【００３１】
次に制御盤１０の構成により得られる効果を説明する。スイッチ装置１２は、孔部２５から挿入した指が操作子１２ｂに届く位置に配置されるので、孔部２５に指を挿入して筐体２０内部に位置する操作子１２ｂを操作できる。これにより、扉２４を開けることなく筐体２０内部の操作子１２ｂを操作できるので、ボルトを外して扉２４を開ける手間を省くことができると共に、筐体２０内部にごみや埃などが侵入することを防止できる。
【００３２】
また、扉２４に配設されるスイッチ装置１２の操作子１２ｂを右壁面部２２ａの孔部２５から操作できるので、板面部２１に孔部２５が設けられる場合に比べて操作子１２ｂを操作するための空間を小さくできる。そのため、スイッチ装置１２に対向して板面部２１に対向機器１４を配設できるので、筐体２０内部のスペースを有効に利用できる。
【００３３】
また、蓋２５ａにより孔部２５を塞ぐので、スイッチ装置１２を操作する必要がない場合に、孔部２５からごみや埃などが侵入することを防止できる。また、角筒の孔部２５側の１面が開口したコの字状のカバー１８により、スイッチ装置１２と隣接機器１６とを隔てるようにスイッチ装置１２が囲われるので、孔部２５に指を挿入する際に隣接機器１６に指が触れることを防止できる。そのため、安全に操作子１２ｂを操作できる。
【００３４】
また、左壁面部２２ｂに扉２４が開閉可能に支持され、右壁面部２２ａに孔部２５が設けられるので、扉２４が開閉可能に支持される位置から最も遠い扉２４の部分にスイッチ装置１２を配置できる。そのため、扉２４を開けて操作子１２ｂを操作する場合でも、扉２４を大きく開けることなく操作子１２ｂを操作できる。即ち、扉２４を開けて操作する場合でも、筐体２０内部へのごみや埃などの侵入を抑制できると共に、開けた扉２４が運転室内の車載物などにぶつかることを抑制できる。
【００３５】
また、右壁面部２２ａの板厚方向である車両左右方向（右壁面部２２ａと左壁面部２２ｂとの対向方向）に右壁面部２２ａを貫通して形成される孔部２５に指を挿入し、車両前後方向（板面部２１と扉２４との対向方向）に長手方向を有する操作子１２ｂを車両上下方向（上壁面部２２ｃと下壁面部２２ｄとの対向方向）に傾けることによって操作する。即ち、操作子１２ｂの操作方向と、操作子１２ｂの長手方向と、孔部２５の貫通方向とが互いに交差するので、孔部２５から挿入した指が向く方向と、操作子１２ｂの操作方向と、操作子１２ｂの長手方向とが互いに交差する。これにより、孔部２５から挿入した指が向く方向と、操作子１２ｂの操作方向と、操作子１２ｂの長手方向とのうち少なくとも２つが略平行である場合に比べて、操作子１２ｂの操作性を向上できる。さらに、スイッチ装置１２を挟んで孔部２５の反対側に配設される隣接機器１６とスイッチ装置１２とをカバー１８により隔てるので、孔部２５から挿入した指をカバー１８に当接させてカバー１８に沿わして動かすことで操作子１２ｂの操作方向に指を動かすことができる。従って、操作子１２ｂの操作性を向上できる。
【００３６】
また、運転手が着座する第１シート４側の右壁面部２２ａに孔部２５が設けられるので、運転手による操作子１２ｂの操作性を向上できる。さらに、正面視において第１シート４と第２シート６との間の中心よりも第２シート６側に制御盤１０（筐体２０）が配置されるので、第１シート４と制御盤１０との間の距離を確保できる。これにより、運転手が孔部２５に指を挿入する際に運転手の腕や手が第１シート４に干渉し難くできるので、運転手による操作子１２ｂの操作性をより向上できる。
【００３７】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、車両は、一般家庭や工場へ液化ガスを配送して貯蔵設備に液化ガスを充填するバルクローリである場合について説明したが、必ずしもこれに限られるものではなく、制御盤により制御される機能を有する車両であればよい。例えば、吸水ポンプまたは排水ポンプを有する車両、車体の傾斜調整装置を有する車両、クレーンを有する車両などが挙げられる。
【００３８】
上記実施の形態では、スイッチ装置１２の本体部１２ａが扉２４に配設される場合について説明したが、必ずしもこれに限られるものではなく、スイッチ装置１２の本体部１２ａを板面部２１に配設することは当然可能である。この場合、スイッチ装置１２の本体部１２ａの扉２４側に操作子１２ｂが設けられ、スイッチ装置１２に対向して扉２４に対向機器１４が配設される。また、スイッチ装置１２が板面部２１又は扉２４の一方に配設される場合、スイッチ装置１２からみて板面部２１又は扉２４の他方側に対向機器１４が位置するように壁面部２２に対向機器１４を配設することも可能である。
【００３９】
上記実施の形態では、スイッチ装置１２がトグルスイッチから構成される場合について説明したが、必ずしもこれに限られるものではなく、プッシュスイッチやスライドスイッチなどでもよい。また、スイッチ装置１２が制御盤１０の主電源のスイッチである必要はなく、制御盤１０内に配設されるその他の機器のスイッチでもよい。
【００４０】
上記実施の形態では、孔部２５を塞ぐゴム製の蓋２５ａが着脱可能に取り付けられる場合について説明したが、必ずしもこれに限られるものではなく、蓋２５ａの材質を変更することは当然可能である。例えば、樹脂製や金属製の蓋が挙げられる。また、蓋が着脱可能である必要はなく、蓋に切れ目を入れたり、蓋に伸縮性を持たせたり、蓋を指サック状に形成したりすることで蓋を外さずに操作子１２ｂを操作できる。これにより、操作子１２ｂを操作する場合に孔部２５からごみや埃が侵入することを防止できる。
【００４１】
上記実施の形態では、コの字状のカバー１８がスイッチ装置１２を囲む場合について説明したが、必ずしもこれに限られるものではなく、孔部２５から挿入した指がスイッチ装置１２以外の機器に触れなければよいので、スイッチ装置１２と隣接機器１６との間に板状のカバーを扉２４に立設することは当然可能である。また、操作子１２ｂを覆う袋状または箱状のカバーをスイッチ装置１２の本体部１２ａに取り付けて、スイッチ機器１２と対向機器１４とを隔てることも可能である。さらに、孔部２５側の面を開口する必要はなく、孔部２５に挿入した指がカバー内部の操作子１２ｂを操作できればよいので、操作子１２ｂから孔部２５に向かってカバーの一部を開口させることは当然可能である。
【００４２】
上記実施の形態では、扉２４がボルトにより壁面部２２に固定される場合について説明したが、必ずしもこれに限られるものではなく、錠前やラッチハンドルなどのロック機構により扉２４を壁面部２２に固定することは当然可能である。
【００４３】
上記実施の形態では、車両の右側に第１シート４が位置する場合について説明したが、必ずしもこれに限られるものではなく、第１シート４を車両の左側に位置させることは当然可能である。この場合、第１シート４側である左壁面部２２ｂに孔部２５を設けることで、運転手による操作子１２ｂの操作性を向上できる。
【００４４】
上記実施の形態では、板面部２１に立設する壁面部２２の他端により形成される開口部２３を扉２４で塞ぐ場合について説明したが、壁面部２２の他端側を互いに向かって屈曲させて板面部２１に対面する部位を形成し、その部位に形成される開口部２３を扉２４で塞ぐことも可能である。
【符号の説明】
【００４５】
１      運転室
４      第１シート
４ａ，６ａ  背もたれ
６      第２シート
１０    制御盤
１２    スイッチ装置
１２ａ  本体部
１２ｂ  操作子
１４    対向機器
１８    カバー
２０    筐体
２１    板面部
２２    壁面部
２３    開口部
２４    扉
２５    孔部
２５ａ  蓋
【図１】
2016147560.tif 000003
【図２】
2016147560.tif 000004
【図３】
2016147560.tif 000005